(57)【要約】【課題】携帯式電子機器と筆記用具との併用に利することができるクリップボードの提供。【解決手段】ボード部１と、ボード部１に一端が常時にボード部１の正面に当接するように設けられていて他端側が押さえられると該一端がボード部１の正面から離れることができる押さえ部材２２を有するクリップ部２と、を具えている上に、電子機器を保持するための保持座３が押さえ部材２２の正面側に設けられていることを特徴とするクリップボードを提供する。【選択図】図２
0003189832.tif 000002
【実用新案登録請求の範囲】
【請求項１】
ボード部と、前記ボード部に一端が常時に前記ボード部の正面に当接するように設けられていて他端側が押さえられると前記一端が前記ボード部の正面から離れることができる押さえ部材を有するクリップ部と、を具えており、
電子機器を保持するための保持座が前記押さえ部材の正面側に設けられていることを特徴とするクリップボード。
【請求項２】
前記ボード部は板状に形成されており、
前記押さえ部材と前記保持座とは、前記ボード部に対して仰角を有するように傾斜して設けられている
ことを特徴とする請求項１に記載のクリップボード。
【請求項３】
前記クリップ部は、前記ボード部に固定されている固定片と、前記押さえ部材を前記固定片の正面側に枢結しているヒンジピンと、前記固定片と前記押さえ部材との間に前記押さえ部材の前記他端を常時に押さえて前記一端を前記ボード部の正面に当接させるように設けられている弾性部材と、を有する
ことを特徴とする請求項１に記載のクリップボード。
【請求項４】
前記保持座は、保持座本体を有し、該保持座本体は、前記押さえ部材に近隣して設けられた台壁と、該台壁の両端から前記押さえ部材と離れ且つ互いに近づく方向にそれぞれ延伸するように設けられた一対の保持壁と、を有しており、電子機器を保持するための電子機器保持空間が前記台壁と各前記保持壁とに囲まれて形成されている
ことを特徴とする請求項１に記載のクリップボード。
【請求項５】
前記保持座は、前記電子機器保持空間内で前記台壁および各前記保持壁に貼り付けられた緩衝材を更に有する
ことを特徴とする請求項４に記載のクリップボード。
【請求項６】
前記保持座本体は、前記台壁の前記両端の内いずれか一方の端から前記押さえ部材と離れる方向に延伸し且つ該一方の端に設けられた側である対応の前記保持壁よりも外側に位置するように設けられた筆記具止め壁を更に有し、筆記具を保持するための筆記具保持空間が当該対応の前記保持壁と前記筆記具止め壁との間に形成されている
ことを特徴とする請求項４に記載のクリップボード。
【請求項７】
前記保持座が前記押さえ部材に回転自在に軸着されている
ことを特徴とする請求項１に記載のクリップボード。
【請求項８】
前記保持座は、電子機器を保持する保持座本体と、該保持座本体との間に前記押さえ部材を挟み込むように該保持座本体と重なり合っている固定部材と、前記保持座本体と前記固定部材とを前記押さえ部材に回転自在に軸着している連結部材と、を有する
ことを特徴とする請求項７に記載のクリップボード。
【請求項９】
前記保持座本体は、前記連結部材に貫通されている位置決め孔と、前記保持座本体の前記押さえ部材に面する面である下面に突設された複数の連動突起と、を有し、
前記位置決め孔は、前記下面に近い側であり横断面が円形の円孔部と、前記下面から遠い側に向かって前記円孔部から延伸し且つ孔径が前記円孔部よりも大きく横断面が角型の角孔部と、を有し、
前記押さえ部材は、前記固定部材の一部が嵌入されていると共に前記連結部材に貫通されている取り付け孔を有し、
前記固定部材は、前記連結部材に貫通されていると共に前記位置決め孔の前記円孔部と連通している固定孔と、前記保持座本体に面する面である上面に凹設されており前記保持座本体の各前記連動突起とそれぞれ係合している複数の連動溝と、を有し、
前記連結部材は、前記位置決め孔の前記角孔部から挿入されて前記位置決め孔と前記固定孔とを貫通している角ボルトと、前記固定部材に当接するように前記角ボルトと螺結しているキャップナットと、を有する
ことを特徴とする請求項８に記載のクリップボード。
【請求項１０】
前記押さえ部材は、前記固定部材の一部が嵌入されている取り付け孔と、該取り付け孔を囲むように前記押さえ部材の前記保持座本体に面する面である上面に設けられた環状リブと、を有し、
前記保持座は、前記保持座本体の前記押さえ部材に面する面である下面と、前記固定部材の前記押さえ部材に面する面である上面と、がそれぞれ前記環状リブに形状が対応する環状面として形成されており、前記押さえ部材の前記環状リブが、前記保持座本体および前記固定部材それぞれの前記環状面に挟まれている
ことを特徴とする請求項８に記載のクリップボード。
【考案の詳細な説明】
【技術分野】
【０００１】
本考案は、クリップボードに関し、特に電子機器を保持することができる保持座がクリップ部に設けられたクリップボードに関するものである。
【背景技術】
【０００２】
スマートフォンやタブレットパソコンなどの携帯式電子機器には、インターネット、インスタントメッセンジャー、計算機などの機能が備わっているが、使用者がこれらの機能を携帯式電子機器で利用する際には、例えばインターネットを通じて調べた内容を紙やペンなど従来の筆記用具によりメモを取りながら使用するといった場合が多い。また、メモを取る際には、筆記用紙を固定することができる上に下敷きにもなるクリップボードが利用されることが多い。
【考案の概要】
【考案が解決しようとする課題】
【０００３】
しかしながら、上記従来のクリップボードは、筆記の用途のみを考慮して設計されたものであり、使用者が携帯式電子機器と筆記用具とを同時に使用することが多いことに着眼して考案されたものではない。
【０００４】
本考案は、上記従来技術の問題点に鑑みてなされたものであり、その目的は、携帯式電子機器と筆記用具との併用に利することができるクリップボードの提供にある。
【課題を解決するための手段】
【０００５】
上記目的を達成するための手段として、本考案は、以下の手段を提供する。
【０００６】
即ち、ボード部と、前記ボード部に一端が常時に前記ボード部の正面に当接するように設けられていて他端側が押さえられると前記一端が前記ボード部の正面から離れることができる押さえ部材を有するクリップ部と、を具えており、電子機器を保持するための保持座が前記押さえ部材の正面側に設けられていることを特徴とするクリップボードを提供する。
【０００７】
上記クリップボードにおいては、前記ボード部が板状に形成されており、前記押さえ部材と前記保持座とが、前記ボード部に対して仰角を有するように傾斜して設けられていることが好ましい。
【０００８】
また、前記クリップ部は、前記ボード部に固定されている固定片と、前記押さえ部材を前記固定片の正面側に枢結しているヒンジピンと、前記固定片と前記押さえ部材との間に前記押さえ部材の前記他端を常時に押さえて前記一端を前記ボード部の正面に当接させるように設けられている弾性部材と、を有することが好ましい。
【０００９】
また、前記保持座は、保持座本体を有し、該保持座本体は、前記押さえ部材に近隣して設けられた台壁と、該台壁の両端から前記押さえ部材と離れ且つ互いに近づく方向にそれぞれ延伸するように設けられた一対の保持壁と、を有しており、電子機器を保持するための電子機器保持空間が前記台壁と各前記保持壁とに囲まれて形成されていることが好ましい。
【００１０】
前記保持座は、前記電子機器保持空間内で前記台壁および各前記保持壁に貼り付けられた緩衝材を更に有するとよい。
【００１１】
前記保持座本体は、前記台壁の前記両端の内いずれか一方の端から前記押さえ部材と離れる方向に延伸し且つ該一方の端に設けられた側である対応の前記保持壁よりも外側に位置するように設けられた筆記具止め壁を更に有し、筆記具を保持するための筆記具保持空間が当該対応の前記保持壁と前記筆記具止め壁との間に形成されていることが好ましい。
【００１２】
また、前記保持座が前記押さえ部材に回転自在に軸着されていることが好ましい。
【００１３】
そのため、前記保持座は、上記保持座本体に加えて、該保持座本体との間に前記押さえ部材を挟み込むように該保持座本体と重なり合っている固定部材と、前記保持座本体と前記固定部材とを前記押さえ部材に回転自在に軸着している連結部材と、を有するとよい。
【００１４】
また、前記保持座本体は、前記連結部材に貫通されている位置決め孔と、前記保持座本体の前記押さえ部材に面する面である下面に突設された複数の連動突起と、を有し、前記位置決め孔は、前記下面に近い側であり横断面が円形の円孔部と、前記下面から遠い側に向かって前記円孔部から延伸し且つ孔径が前記円孔部よりも大きく横断面が角型の角孔部と、を有し、前記押さえ部材は、前記固定部材の一部が嵌入されていると共に前記連結部材に貫通されている取り付け孔を有し、前記固定部材は、前記連結部材に貫通されていると共に前記位置決め孔の前記円孔部と連通している固定孔と、前記保持座本体に面する面である上面に凹設されており前記保持座本体の各前記連動突起とそれぞれ係合している複数の連動溝と、を有し、前記連結部材は、前記位置決め孔の前記角孔部から挿入されて前記位置決め孔と前記固定孔とを貫通している角ボルトと、前記固定部材に当接するように前記角ボルトと螺結しているキャップナットと、を有することが好ましい。
【００１５】
更に、前記押さえ部材は、該取り付け孔を囲むように前記押さえ部材の前記保持座本体に面する面である上面に設けられた環状リブを有し、前記保持座は、前記保持座本体の前記押さえ部材に面する面である下面と、前記固定部材の前記押さえ部材に面する面である上面と、がそれぞれ前記環状リブに形状が対応する環状面として形成されており、前記押さえ部材の前記環状リブが、前記保持座本体および前記固定部材それぞれの前記環状面に挟まれていることが好ましい。
【考案の効果】
【００１６】
上記手段によれば、筆記用紙などをボード部に載置して押さえ部材で挟むことができる上に、電子機器を保持座に保持させることができる。これにより、使用者は、電子機器を操作すると同時に筆記用紙に記述することが可能となり、つまりは電子機器と筆記用具とを併用する際の利便性が高い。
【図面の簡単な説明】
【００１７】
【図１】本考案に係るクリップボードの一実施形態を示す部分分解斜視図である。
【図２】本考案に係るクリップボードの一使用態様を示す斜視図である。
【図３】図１に示されたクリップボードの部分断面図である。
【図４】本考案に係るクリップボードの一実施形態における保持座本体を下から見た斜視図である。
【図５】本考案に係るクリップボードの一使用態様を示す上面図である。
【考案を実施するための形態】
【００１８】
以下、添付図面を参照しながら、本考案に係るクリップボードの具体的な実施形態を詳細に説明する。
【００１９】
本考案に係るクリップボードは、筆記用紙を載置できるだけでなく、携帯式の電子機器、例えば携帯電話などを保持できるように構成されたものであり、図１は本実施形態を示す分解斜視図、図２は本実施形態の使用態様を示す全体斜視図、図３は図１に示されている部分を示す縦断面図である。
【００２０】
本実施形態において、クリップボードは、板状に形成されており筆記用紙４を載置するための正面（図示における上面）を有するボード部１と、ボード部１の周辺において正面側に設けられており筆記用紙４をボード部１との間に挟むことができるように構成されたクリップ部２と、クリップ部２の正面側（図示における上面側）に設けられており電子機器５を保持できるように構成された保持座３と、を具えている。
【００２１】
クリップ部２は、ボード部１の周辺における正面に固定されている固定片２１と、一端が常時にボード部１の正面に当接するように且つ他端側が押さえられると上記一端がボード部１の正面から離れることができるようにヒンジピン２３により固定片２１の正面側に枢結されている押さえ部材２２と、押さえ部材２２の上記他端を常時に押さえて上記一端をボード部１の正面に当接させるように固定片２１と押さえ部材２２との間に設けられている弾性部材２４と、を有する。
【００２２】
押さえ部材２２は、保持座３の一部（下述する固定部材３３の一部）が嵌入されている取り付け孔２２１と、取り付け孔２２１を囲むようにその上面に設けられた環状リブ２２２と、を有する。環状リブ２２２は、縦断面において上方にアーチ状に膨らむ湾曲面を有するように皿状に形成されたものである（主に図３参照）。
【００２３】
弾性部材２４は、ヒンジピン２３に挿通されているコイルばねであり、押さえ部材２２の上記他端側が押さえられて上記一端がボード部１の正面から離れると蓄勢し、上記一端が元の位置であるボード部１の正面と当接する位置に戻るように上記他端を付勢する。これにより押さえ部材２２の上記一端とボード部１との間に筆記用紙４またはその他の挟持したい物品（図示せず）を挟み込むことができる。
【００２４】
保持座３は、図２、図３、図４に示されているように、電子機器５を保持できるように構成された保持座本体３１と、保持座本体３１に設けられた緩衝材３２と、保持座本体３１を押さえ部材２２に設置するための固定部材３３および連結部材３４と、を有する。
【００２５】
保持座本体３１は、押さえ部材２２の正面に近隣して設けられた板状の台壁３１１と、台壁３１１を上下に貫通するように設けられた位置決め孔３１２と、台壁３１１の押さえ部材２２に面する面である下面に位置決め孔３１２を囲むように突設された複数の連動突起３１３（図４参照）と、台壁３１１の両端から押さえ部材２２と離れ且つ互いに近づく方向にそれぞれ延伸するように設けられた一対の保持壁３１４、３１４と、を有し、台壁３１１と一対の保持壁３１４、３１４とに囲まれて電子機器５を保持するための電子機器保持空間３１５が形成されている。
【００２６】
加えて、保持座本体３１には、台壁３１１の上記両端の内いずれか一方の端から押さえ部材２２と離れる方向に延伸し且つその一方の端に設けられている対応の保持壁３１４よりも外側に位置する筆記具止め壁３１６が設けられており、当該対応の保持壁３１４と筆記具止め壁３１６との間に挟まれるように筆記具６を保持するための筆記具保持空間３１７が形成されている。なお、筆記具６は筆記用紙４に記述するためのペンなどに限らず、例えば電子機器５がタッチパネルを有する場合にそのタッチパネルに用いるスタイラスなどでもよい。
【００２７】
位置決め孔３１２は、図３に示されているように段状になっている。詳しく言うと、位置決め孔３１２は、台壁３１１の上記下面に開口しており横断面が円形の円孔部３１８と、円孔部３１８と連通しており上記下面から離れる方向に向かって延伸して台壁３１１の上記下面と反対面である上面に開口しており横断面が角型の角孔部３１９と、から構成されている。角孔部３１９の孔径は円孔部３１８の孔径よりも大きい。なお、角孔部３１９は本実施形態においては横断面が正六角形となるように形成されている。
【００２８】
緩衝材３２は、可撓性を有する弾性材料からなっており、電子機器保持空間３１５内で台壁３１１および各保持壁３１４に貼り付けられている。これにより電子機器５が電子機器保持空間３１５に置かれた際の保持座本体３１との衝突を緩衝し、電子機器５が傷ついたり、あるいは滑って脱落したりすることを防ぐことができる。
【００２９】
固定部材３３は、本実施形態においては皿状に形成されており、その一部（具体的には中心部）が突出して押さえ部材２２の取り付け孔２２１を貫通して保持座本体３１に嵌め込まれていると共に、上記一部以外の部分（具体的には中心部の周りの周囲部）で保持座本体３１との間に押さえ部材２２を挟みこむように保持座本体３１と重なり合っている（図３参考）。また、固定部材３３は、取り付け孔２２１を貫通している上記一部に、位置決め孔３１２の円孔部３１８と連通する固定孔３３１と、上記一部において保持座本体３１に面する面である上面に凹設されており、保持座本体３１の各連動突起３１３とそれぞれ係合する複数の連動溝３３２と、が設けられている。
【００３０】
なお、固定部材３３の上面における上記一部以外の部分と、保持座本体３１の下面における位置決め孔３１２の周囲部分と、には、押さえ部材２２の環状リブ２２２とそれぞれ形状が対応する環状面３５、３５が形成されている（図１、図３、図４参照）。
【００３１】
連結部材３４は、保持座本体３１の位置決め孔３１２、押さえ部材２２の取り付け孔２２１、固定部材３３の固定孔３３１を貫通して保持座本体３１と固定部材３３とを押さえ部材２２が間に挟まれるように連結するものである。詳しく言うと、連結部材３４は、押さえ部材２２の取り付け孔２２１を挿通するように、保持座本体３１の正面側である位置決め孔３１２の角孔部３１９から挿入されて位置決め孔３１２と固定孔３３１とを貫通し先端側が固定部材３３の下面に突き出た角ボルト３４１と、固定部材３３の下面に突き出た角ボルト３４１の先端側と螺結して固定部材３３の下面に当接しているキャップナット３４２と、から構成されている。
【００３２】
なお、角ボルト３４１は、位置決め孔３１２の角孔部３１９と対応するように本実施形態ではヘッド部が正六角形のものを用いている。また、キャップナット３４２として本実施形態では、その内部に角ボルト３４１のねじと対応するようにねじ切りされたねじ部が埋設されるようにプラスチックを射出成形してなったものを用いている。
【００３３】
組み立ての際には、まず、角ボルト３４１を保持座本体３１の下面側に突き出るように位置決め孔３１２に挿入してから、緩衝材３２を、電子機器保持空間３１５に面する側である台壁３１１の正面および各保持壁３１４の内面に貼り付ける。次に、角ボルト３４１の突き出た端を、押さえ部材２２の取り付け孔２２１に通してから、固定部材３３の固定孔３３１に挿入する。これにより、保持座本体３１の環状面３５と、固定部材３３の環状面３５と、により、押さえ部材２２の環状リブ２２２が挟み込まれる。この際、保持座本体３１の各連動突起３１３と固定部材３３の各連動溝３３２とが嵌り合うように、固定部材３３と保持座本体３１とを回転させそれらの位置を調整する。次に、固定部材３３の下面側で角ボルト３４１にキャップナット３４２を螺結する。この際、角ボルト３４１のヘッド部が位置決め孔３１２の角孔部３１９に嵌って制動されて角ボルト３４１が保持座本体３１と共に回転するので、キャップナット３４２を螺結させるために回転させる際には、保持座本体３１が回転しないように押さえるだけで、キャップナット３４２を角ボルト３４１にきつく螺結させることができる。このように連結部材３４を設けることで、保持座本体３１と固定部材３３とが、押さえ部材２２に回転自在に軸着される。
【００３４】
使用する際には、図２および図５に示されているように、例えば筆記用紙４あるいはその他のボード部１上に載置したい物（図示せず）を、クリップ部２の押さえ部材２２とボード部１とによりそれらの間に挟持させることができる上に、電子機器５および筆記具６をそれぞれ電子機器保持空間３１５および筆記具保持空間３１７に置いて保持させることができる。また、保持座３は回転させることができるので、例えば電子機器５を縦向きにも横向きにも保持することができる。保持座３を回すと、保持座本体３１の各連動突起３１３と固定部材３３の各連動溝３３２とが嵌り合っているので、保持座本体３１と固定部材３３とが共に押さえ部材２２に対して回転する。この際、保持座本体３１および固定部材３３それぞれの環状面３５、３５が、押さえ部材２２の環状リブ２２２の上下両面をそれぞれ滑るように移動するので、回転がスムーズである。
【００３５】
なお、図３に示されているように、本実施形態においては、押さえ部材２２と保持座３とが、ボード部１に対して仰角θを有するように傾斜して設けられている。
【００３６】
本考案に係るクリップボードは、一実施形態として上述の構成を具えることにより、以下の効果を有する。
【００３７】
押さえ部材２２の正面側に保持座３が設けられており、例えばいわゆるスマートフォンなどの電子機器５を保持座３に保持させることができる。これにより、例えば筆記用紙４をボード部１に載置してクリップ部２で挟むと共に、電子機器５を保持座３に保持させれば、使用者は、例えば片方の手で電子機器５を操作し、もう片方の手で筆記用紙４に記述することが可能となり、利便性が高い。この際、保持座３はボード部１に対して仰角θを有するように傾斜して設けられているので、例えば電子機器５がタッチパネル付のものである場合、パネルが見やすく、かつ押しやすい。更に、保持座３はクリップ部２に対して回転自在に軸着されているので、保持座３を回転させて電子機器５をより使いやすい角度に調整することができる。
【００３８】
以上、本考案の好ましい実施形態を説明したが、本考案はこれに限定されるものではなく、その要旨を逸脱しない範囲で種々変更可能であることはいうまでもない。
【産業上の利用可能性】
【００３９】
本考案に係るクリップボードは、使用者が携帯式電子機器と筆記用具とを同時に使用することが多いことに着眼して考案されたものであり、携帯式電子機器と筆記用具との併用に供するクリップボードとして利用可能である。
【符号の説明】
【００４０】
１            ボード部
２            クリップ部
２１          固定片
２２          押さえ部材
２２１        取り付け孔
２２２        環状リブ
２３          ヒンジピン
２４          弾性部材
３            保持座
３１          保持座本体
３１１        台壁
３１２        位置決め孔
３１３        連動突起
３１４        保持壁
３１５        電子機器保持空間
３１６        筆記具止め壁
３１７        筆記具保持空間
３１８        円孔部
３１９        角孔部
３２          緩衝材
３３          固定部材
３３１        固定孔
３３２        連動溝
３４          連結部材
３４１        角ボルト
３４２        キャップナット
３５          環状面
４            筆記用紙
５            電子機器
６            筆記具
【図１】
0003189832.tif 000003
【図２】
0003189832.tif 000004
【図３】
0003189832.tif 000005
【図４】
0003189832.tif 000006
【図５】
0003189832.tif 000007